(57)【要約】  ユーザーの体の生体インピーダンスを誘導的に測定する間、ユーザーの体の位置及び／又は動きを決定する簡易で信頼性のある方法及び装置を提供する。この目的のために提供される装置（１）は、ユーザーの体（２）に交番磁界を誘起する生成手段（３）を有する。当該装置は、ユーザーの体（２）に取り付けられる多数の基準信号生成器（４）を更に有する。各基準信号生成器（４）は基準信号を生成する。当該装置は、生体インピーダンス値を得るために二次磁界を測定し、及び多数の基準信号を更に測定する検知手段（６）を更に有する。当該装置は、測定された基準信号に基づきユーザーの体（２）の位置及び／又は動きを決定する分析手段（８）を更に有する。
2008546465.tif 000002
【特許請求の範囲】
【請求項１】
装置であって、ユーザーの体の生体インピーダンスを誘導的に測定し、
−前記ユーザーの体に交番磁界を誘起する生成手段、
−それぞれ基準信号を生成し、前記ユーザーの体に取り付けられる多数の基準信号生成器、
−生体インピーダンス値を得るために二次磁界を測定し、及び多数の基準信号を更に測定する検知手段、並びに
−測定された基準信号に基づき前記ユーザーの体の位置及び／又は動きを決定する分析手段、を有する装置。
【請求項２】
前記基準信号生成器は、前記ユーザーの体の如何なる部分からも区別可能な形状を示す、請求項１記載の装置。
【請求項３】
前記基準信号生成器は、前記基準信号を能動的に生成する、請求項１記載の装置。
【請求項４】
前記基準信号生成器は、交番基準信号、望ましくは交番磁界を生成する、請求項１記載の装置。
【請求項５】
前記基準信号生成器は固定された方法で前記ユーザーの体に、望ましくはユーザーの首、胸骨及び／又は腸骨に取り付けられる、請求項１記載の装置。
【請求項６】
前記多数の基準信号生成器は前記ユーザーの体の如何なる移動及び回転も明らかに決定され得るよう選択される、請求項１記載の装置。
【請求項７】
前記分析手段は、位置検出及び／又は動き検出の結果に依存して前記生体インピーダンス値を修正及び／又は調整する、請求項１記載の装置。
【請求項８】
方法であって、ユーザーの体の生体インピーダンスを誘導的に測定し、
−多数の基準信号生成器を前記ユーザーの体に取り付ける段階、
−多数の基準信号が能動的に生成されるよう前記基準信号生成器を動作する段階、
−生成手段により前記ユーザーの体に交番磁界を誘起する段階、
−生体インピーダンス値を得るために検知手段により二次磁界を測定する段階、
−前記検知手段により多数の基準信号を測定する段階、及び−分析手段により測定された基準信号に基づき前記ユーザーの体の位置及び／又は動きを決定する段階、を有する方法。
【請求項９】
前記基準信号生成器の少なくとも１つは、前記交番磁界が前記ユーザーの体に誘起される前、及び／又は後に動作される、請求項８記載の方法。
【請求項１０】
前記基準信号生成器の少なくとも１つは、前記交番磁界が前記ユーザーの体に誘起されると同時に動作される、請求項８記載の方法。
【請求項１１】
位置検出及び／又は動き検出の結果に依存して前記生体インピーダンス値を修正及び／又は調整する段階、を更に有する請求項８記載の方法。
【請求項１２】
コンピューター・プログラムであって、ユーザーの体の生体インピーダンスを誘導的に測定する方法で用いられ、前記方法は、
−多数の基準信号生成器を前記ユーザーの体に取り付ける段階、
−多数の基準信号が能動的に生成されるよう前記基準信号生成器を動作する段階、
−生成手段により前記ユーザーの体に交番磁界を誘起する段階、
−生体インピーダンス値を得るために検知手段により二次磁界を測定する段階、
−前記検知手段により多数の基準信号を測定する段階、を有し、
前記コンピューター・プログラムは、コンピューターで実行されると、測定された基準信号に基づき前記ユーザーの体の位置及び／又は動きを決定するコンピューター命令を有する、コンピューター・プログラム。
【発明の詳細な説明】
【技術分野】
【０００１】
本発明はユーザーの身体の生体インピーダンスを誘導的に測定する方法及び装置に関する。
【背景技術】
【０００２】
生体インピーダンスの誘導的測定は、非接触方法で、人体の種々の生体パラメーター及び伝導度分布の画像を決定するための知られている方法である。動作原理は次の通りである。つまり、インダクター・ループを用い、人体の一部に交番磁界が誘起される。この交番磁界は、人体の組織に渦電流を引き起こす。組織の種類及び伝導度に依存して、渦電流は強くなったり弱くなったりする。渦電流は二次磁界を引き起し、二次磁界は第２のインダクター・ループ（測定コイル）に誘起される電圧として測定され得る。
【０００３】
生体インピーダンスの誘導的測定は、いくつかのパラメーター、例えば呼吸動作、呼吸の深さ、心拍、心臓容積の変化及び血糖レベル、及び組織の脂肪分又は水分含有量を非接触で決定することを可能にする。
【０００４】
生体インピーダンス測定は、ユーザーの体の伝導度分布を時間の経過と共に２若しくは３次元で又は単一画像として得るためにトモグラフィー法で用いられ得る。時間に渡る測定から、ユーザーの心臓又は肺の容積変化のような特定の特性が計算され得る。しかしながら、測定中にユーザーが動くと、動きアーティファクトを引き起こす。例えば、関心領域がそれ自体の動力学により又は例えばユーザーがベッドに横になっている場合にユーザーが向きを変えることにより動いている場合、動きアーティファクトは流動的である。
【０００５】
レーザー光線及びカメラを用いる視覚的手法を適用することにより、インピーダンス走査の間のユーザーの位置を決定することが知られている。身体の輪郭が提供され、及びインピーダンス走査の間の身体の動きは監視される。この解決法の不利点は、夜間の邪魔にならない監視のために個人健康管理の状況で用いることが困難なことである。更に、当該解決法は、インピーダンス走査に加え一層多くの労力を必要とする。最後に、当該解決法は長期間、例えばユーザーが眠っている間の測定に実用的でない。
【０００６】
別の解決法は、特許文献１により提案される。特許文献１は、医療用途で用いられる位置追跡及び撮像システムを記載する。このシステムは、医療器具の位置が患者の体に対し監視され、医療器具の位置に応答して複数の予め記録された体の画像のうちの少なくとも１つを表示することを特徴とする。位置追跡の目的で、基準装置が患者に付けられる。更に、電界生成器が設けられ、電磁界を生成する。電磁界センサーは電磁界の強度を検知する。位置検出装置は電磁界センサーと通信し、基準装置に対する医療器具の位置を表す位置データを生成する。この解決法の不利点は、患者の位置を追跡するために多数の構成要素が必要なことである。別の不利点は、相対的に動く基準信号が誤った測定結果を生じ得ることである。特許文献１では、基準としての医療器具は動き、測定結果を歪め得る。
【特許文献１】米国特許第６４４５９４３号明細書
【発明の開示】
【発明が解決しようとする課題】
【０００７】
本発明の目的は、ユーザーの体の生体インピーダンスを誘導的に測定することに続いて、及び／又は並列して、当該体の位置及び／又は動きを決定する簡易で信頼性のある方法及び装置を提供することである。
【課題を解決するための手段】
【０００８】
当該目的は、本発明により、ユーザーの体の生体インピーダンスを誘導的に測定する装置により達成される。当該装置は、ユーザーの体に交番磁界を誘起する生成手段を有する。当該装置は、ユーザーの体に取り付けられる多数の基準信号生成器を更に有する。各基準信号生成器は、基準信号を生成する。当該装置は、生体インピーダンス値を得るために二次磁界を測定し、及び多数の基準信号を更に測定する検知手段を更に有する。当該装置は、測定された基準信号に基づきユーザーの体の位置及び／又は動きを決定する分析手段を更に有する。
【０００９】
当該目的はまた、ユーザーの体の生体インピーダンスを誘導的に測定する方法により達成される。当該方法は、多数の基準信号生成器をユーザーの体に取り付ける段階、多数の基準信号が生成されるよう前記基準信号生成器を動作する段階、生成手段により前記ユーザーの体に交番磁界を誘起する段階、生体インピーダンス値を得るために検知手段により二次磁界を測定する段階、前記検知手段により多数の基準信号を測定する段階、及び分析手段により測定された基準信号に基づきユーザーの体の位置及び／又は動きを決定する段階、を有する。
【００１０】
当該目的はまた、ユーザーの体の生体インピーダンスを誘導的に測定する方法で用いられるコンピューター・プログラムにより達成される。当該方法は、多数の基準信号生成器をユーザーの体に取り付ける段階、多数の基準信号が能動的に生成されるよう前記基準信号生成器を動作する段階、生成手段により前記ユーザーの体に交番磁界を誘起する段階、生体インピーダンス値を得るために検知手段により二次磁界を測定する段階、前記検知手段により多数の基準信号を測定する段階、を有する。前記コンピューター・プログラムは、コンピューターで実行されると、前記測定された基準信号に基づきユーザーの体の位置及び／又は動きを決定するコンピューター命令を有する。
【００１１】
本発明による必要な技術的効果は、本発明に従うコンピューター・プログラムの命令に基づき理解され得る。このようなコンピューター・プログラムは、ＣＤ−ＲＯＭのような単体に格納され得るか、又はインターネット若しくは別のコンピューター・ネットワークを介し利用可能であり得る。実行する前に、コンピューター・プログラムは、例えばＣＤ−ＲＯＭプレーヤーを用い又はインターネットから読み出し、そしてコンピューターのメモリーに格納することにより、担体からコンピューターに読み込まれる。コンピューターは、特に中央演算処理装置（ＣＰＵ）、バス・システム、メモリー手段、例えばＲＡＭ又はＲＯＭ、記憶手段、例えばフロッピー（登録商標）・ディスク又はハード・ディスク装置、及び入力／出力装置を有する。
【００１２】
本発明の基本的考えは、生体インピーダンス検知手段、つまり装置の電磁界センサーを用いることである。電磁界センサーは、本来は生体インピーダンス値を得るために結果として生じる二次磁界を測定するために用いられるが、生体インピーダンの測定だけでなく多数の基準信号を測定するため、つまりユーザーの体の位置及び／又は動きを決定するためにも利用される。換言すると、上述の検知手段の用途の範囲が広げられる。つまり、生体インピーダンスを測定する装置は、同時にユーザーの体の位置及び／又は動きを決定する装置としても用いられる。結果として、位置及び／又は動きの検出を行うために必要な構成要素の数は、格段に低減される。
【００１３】
本発明によると、ユーザーの体の位置及び／又は動きは、ユーザーの体に取り付けられた２個以上の基準信号生成器の位置を分析することにより決定される。これは、本発明の別の基本的考えに従い、生体インピーダンス測定結果を分析することにより達成される。例えば、生体インピーダンス測定は、結果としてトモグラフィー画像を生成する。トモグラフィー画像から、各基準信号生成器の位置及び／又は動きが決定される。如何なる追加段階も、例えば三角測量システム等の使用が適用される必要がない。位置及び／又は動き検出は、生体インピーダンス測定結果を分析することにより簡単に実行される。ユーザーの体の位置及び／又は動きを決定するための労力は、従って著しく低減される。
【００１４】
本発明の上述の及び他の態様は、従属請求項に定められる以下の実施例に基づき更に詳細に説明される。
【００１５】
本発明によると、明確な位置にユーザーの体に取り付けられる多数の基準信号生成器が提案される。本発明を実行するために、基準信号は、生体インピーダンス測定に関し、関心の対象から区別されなければならない。
【００１６】
これは本発明の好適な実施例に従い、ユーザーの体の如何なる部分からも区別可能な形状を示す基準信号生成器を用いることにより達成される。基準信号生成器が標準的な形状を示す場合、例えば円形又は楕円形の輪郭を示す場合、当該基準信号生成器は、生体インピーダンス測定の結果生じたトモグラフィー画像を分析することにより、ユーザーの体内の異物又は混入物質として決定され得る。換言すると、基準信号生成器は、磁界内における自身の存在により基準信号を「受動的に」生成する。体の位置及び／又は動きは、基準信号生成器の位置及び／又は動きを分析することにより決定される。
【００１７】
区別可能な基準信号を達成する別の方法は、基準信号を能動的に生成する基準信号生成器を用いることである。例として、本発明は、小数の極小電気コイルをユーザーの体に単に取り付けることにより実施され得る。当該コイルは電力源としてバッテリー等を設けられ、基準信号生成器として機能する。通常は生体インピーダンス測定結果を分析するために用いられる分析ソフトウェアを少し変更することで、体の位置及び／又は動きは非常に信頼できる方法で決定され得る。
【００１８】
本発明の別の実施例によると、区別可能な基準信号は、強度が交番する基準信号を用いることにより達成される。これは好適な方法であり、本願明細書に開示されたほとんどの情報は当該手法を用いた本発明の実施例に関連する。当該手法の利点は、基準信号生成器の物理的大きさに関する如何なる厳格な要件も存在しないことである。
【００１９】
交番する強度を達成するため、本発明の別の好適な実施例によると、基準信号生成器は交番基準信号、つまり交番磁界を生成する。従って、各基準信号生成器は、望ましくは正弦波電流等により駆動されるコイルを有する。コイルは、生体インピーダンス測定の間に双極子として動作し、エネルギー源、例えば小型バッテリー等と接続される。換言すると、各基準信号生成器は、望ましくは独立型装置として自立的に動作するよう設計される。多数の基準信号生成器を互いに区別するため、異なる周波数を用い基準信号を送信する基準信号生成器を用いることが可能である。
【００２０】
本発明の別の好適な実施例によると、基準信号生成器は固定された方法でユーザーの体に、望ましくはユーザーの首、胸骨及び／又は腸骨に取り付けられる。換言すると、各基準信号生成器は少なくともユーザーの体の一部に対し動く恐れがない。基準信号生成器は、望ましくは非金属の固定部材を用い体に取り付けられる。
【００２１】
基準信号生成器の数は、例えばユーザーの首、胸骨、腸骨、胸部、又は鼻に、以下に記載される所望の構成に依存して取り付けられる。
【００２２】
本発明の好適な実施例によると、ユーザーの体にある基準信号生成器の位置は、ユーザーの体の如何なる移動及び回転も明らかに決定され得るよう選択される。これは、望ましくは、基準信号生成器の非対称構成により達成される。換言すると、基準信号生成器は、ユーザーの空間的方位及び動きが推測され得るように配置される。多くの場合、どんな時にもユーザーの位置の明らかな決定を達成するためには、３又は４個の基準信号生成器で十分である。望ましくは、基準信号生成器はそれらが四面体を形成するよう配置される。各基準信号生成器が双極子、つまり整列したマーカーを有する場合、このような四面体配置は、双極子が互いに対し回転する２つの基準信号生成器を用いることに要約される。このような配置を用い、体の位置の３次元的追跡は、基準信号生成器の位置を分析することにより可能になる。
【００２３】
本発明の別の好適な実施例によると、分析手段は、位置検出及び／又は動き検出の結果に依存して生体インピーダンス値を修正及び／又は調整する。望ましくは位置検出及び／又は動き検出の結果は、動きアーティファクトを減じるため、及び／又は較正目的で、つまり測定装置を較正するために分析手段により用いられる。
【００２４】
本発明による装置は、望ましくはユーザーの体の位置を、個々の、つまり単一の測定の形式で決定するために用いられる。本発明の好適な実施例によると、基準信号生成器の少なくとも１つは、交番磁界がユーザーの体に誘起される前及び／又は後に動作する。換言すると、測定手順は望ましくは以下の通りである。最初に、多数の基準信号生成器が動作される。つまり各基準信号生成器は電源を入れられる。基準信号生成器は、望ましくは高い強度又は振幅を有する基準信号を生成する。基準信号生成器が動作された場合、位置検出が実行される。つまり検知手段は基準信号を測定する。次の段階で、基準信号生成器は電源を切られる。続いて、実際の生体インピーダンス測定、つまりユーザーの肺等の走査が実行される。
【００２５】
この場合、基準信号を生成する非常に簡単な手法は、後で生成手段により交番磁界がユーザーの体に誘起される時と同一の周波数を用いることである。２つの信号又は電磁界は同時に送信されないので、如何なる区別も必要ない。基準信号生成器が望ましくは生体インピーダンス検知手段により検知されるべき交番磁界である基準信号を送信している場合、結果として生じる「生体インピーダンス画像」は基準信号生成器の信号だけを示す。生体インピーダンス測定が行われている場合、如何なる基準信号生成器の信号も検知され表示されない。勿論、異なる周波数が基準信号生成器により用いられても良い。
【００２６】
基準信号生成器の位置の測定は、例えば患者の位置及び／又は方向を１回で決定することを目的として、１回の測定として実行され得る。或いは、位置検出は、望ましくは交番磁界がユーザーの体に誘起される前後に、つまり生体インピーダンス測定の前後に数回実行され得る。位置検出が規則的間隔で、及び／又はより長い時間期間の間に実行される場合、位置追跡を伴う長期間走査が、例えば一晩中又は数日に亘り及び／又は数夜に亘り実行され得る。基準信号生成器の活性化及び不活性化が十分短い時間間隔で、例えば毎秒１回又は毎分１回生じた場合、生体インピーダンス測定の種類に依存して、ユーザーの体の動き分析にも用いられ得る準連続位置検出が可能である。更に又は代案として、位置検出は多数の特定の所定のパラメータが適合する度に、例えば特定の時間期間が終了する、又は１日の特定の時刻に達する、又は血圧若しくは如何なる他のユーザーのパラメータが特定の所定の若しくは動的に決定される閾値若しくは臨界値に適合する度に実行され得る。
【００２７】
本発明の別の好適な実施例によると、装置はユーザーの体の動きを、連続測定の形式で決定するために用いられる。つまり、少なくとも１つの信号生成器は、交番磁界がユーザーの体に誘起される時に同時に動作する。換言すると、測定手順は望ましくは以下の通りである。第一に、多数の基準信号生成器が動作される。基準信号生成器は、望ましくは後の生成手段によるユーザーの体内の交番磁界の誘起と別の周波数を用い基準信号を生成する。或いは、別の識別する特徴が実施される。例えば標準的な形状の基準信号生成器を用いることである。次の段階で、生体インピーダンス測定、つまりユーザーの肺等の走査が実行される。換言すると、生体インピーダンス測定、つまり生体インピーダンス値を得るための二次磁界の測定、及び基準信号の測定は、同一の検知手段により並行して実行される。基準信号生成器は、生体インピーダンス測定が終了すると不活性化される。これは、基準信号生成器の位置、及び従ってユーザーの体の位置及び動きが生体インピーダンス測定の全体を通じて決定されることを意味する。
【００２８】
本発明の上述の及び他の態様は、例として以下の実施例及び添付の図面を参照し詳細に説明される。
【発明を実施するための最良の形態】
【００２９】
図１は、ユーザーの体２の生体インピーダンスを誘導的に測定する装置１の外観図である。装置１は、ユーザーの体２のトモグラフィー画像を生成する。換言すると、ユーザーの体２の３次元画像が生成される。装置１は、ユーザーの体２に交番磁界を誘起する生成装置３を有する。生成装置３は、磁界を生成する多数の励起又は生成コイル（詳細に示されない）を有する。これら生成コイルは交番磁界を生成する。各生成コイルは、適切な回路（詳細に示されない）により供給される正弦波電流により駆動される。動作は以下の通りである。生成コイルは１個ずつ電源を入れられる。１個の生成コイルの電源が入れられると、全ての測定コイル（ピックアップ・コイル、以下を参照）が測定する。
【００３０】
装置１は、ユーザーの体２に取り付けられた４個の基準信号生成器４を更に有する。各基準信号生成器４は、能動的に区別可能な基準信号を生成する。この目的のため、各基準信号生成器４は、交番磁界を生成する電気コイル（示されない）を有する。各コイルは、適切な回路（詳細に示されない）により供給される正弦波電流により駆動される。基準信号生成器の周波数は、測定コイルと同一であり得る。或いは、基準信号生成器の周波数は、測定コイルの周波数と僅かに異なる。適用される周波数は測定方法に依存する。更に各基準信号生成器４は、コイルの電力源としてバッテリー等（示されない）を有する。回路は、活性化／不活性化要素（示されない）、例えば入／切スイッチを有する。望ましくはユーザー２に取り付けられた全ての基準信号生成器４の入／切スイッチは、外部中央制御装置５を用い制御可能である。
【００３１】
基準信号生成器４は、ユーザーの体２に固定して取り付けられる。４個の基準信号生成器４のうちの３個は、ユーザーの首、胸骨及び腸骨に取り付けられる。４番目の基準信号生成器はまた、ユーザーの胴（示されない）に取り付けられる。４個の基準信号生成器はそれらが四面体を形成するよう非対称に配置される。基準信号生成器４は、能動的に基準信号を生成する。換言すると、活性化した基準信号生成器のそれぞれは、双極子であると考えられる。結果として生じる磁界は特定の方向を示す。つまり磁界の方向から体の位置を決定するには、２個の活性化した基準信号生成器で十分である。
【００３２】
基準信号生成器４は、例えば衣服の下及び衣服の中に装着され得、ユーザーの体２の自由な動きを可能にする。
【００３３】
装置１は、磁気誘導測定を実行する検知装置６を更に有する。検知装置６は、生体インピーダンス値を得るために二次磁界を測定する。更に、検知装置６は、多数の基準信号を測定する。換言すると、検知装置６は、生体インピーダンス値を得るために、結果として生じる二次磁界を検知するだけでなく、多数の基準信号生成器４により基準信号として生成される交番磁界も検知する。
【００３４】
生成装置６は、ユーザーのベッド７に取り付けられた多数のピックアップ・コイル（示されない）を有する。ピックアップ・コイルは、ユーザーの体２の位置及び／又は動きがベッド７の上のユーザーの位置に関係なく決定され得るように、固定されたコイル配列の形式で配置される。換言すると、ユーザーは、例えば標準的な睡眠の位置、回転、移動等を想定される。ピックアップ又は測定コイルを配置する異なる方法がある。１つの可能性は、当該コイルを平面的配列としてベッドの下に配置することである。例えば異なる方向の磁場勾配を測定することにより、他の構成も可能である。コイルは、生体インピーダンス断層写真撮影装置を示す図２に示したように、患者に軸の位置に配置され得る。患者は、励起コイル９及びピックアップ・コイル１０の円形構成の中心に位置付けられる。このコイルの輪は、ユーザーの全身長を覆うためにユーザーの軸に沿って移動して良い。ユーザーは上述のように基準信号生成器４を装着している。別の実施例では、図３に示されたように、ピックアップ・コイルはベッド７の片側のみに位置付けられる。この実施例では、励起及びピックアップ・コイル９、１０はベッド７の基部に平面配列で組み込まれる。再び、ユーザーは上述のように基準信号生成器４を装着している。本発明の更に別の実施例では、図４に示されるようにコイル９、１０はベッドの上方と下方に配置される。この実施例は、図３に示されるベッド構成の変形であり、ユーザーの上方にも励起及びピックアップ・コイル９、１０を有する。３つの実施例のどれが最も有用かは、個々の測定状況に依存する。しかしながら、如何なる標準的なベッドも下にコイル構成を備えられ得るので、好適な実施例はこのようなベッド７の下のコイル構成のようなシステムを用いるだろう。代案の実施例では、生成装置３のコイルがピックアップ・コイルとして用いられる構成が用いられる。
【００３５】
装置１は、分析装置８を更に有する。分析装置８は、生体インピーダンス測定結果に基づきユーザーの体２の３次元画像を生成する。更に分析装置８は、測定された基準信号に基づきユーザーの体２の位置及び／又は動きを決定する。換言すると、分析装置８は、３次元空間の基準信号生成器４の位置の再構成（計算）に適応され、結果として生じるトモグラフィック生体インピーダンス画像に基づき、基準信号生成器４が取り付けられているユーザーの体２の方向、位置又は動きに関する情報を引き出す。別の知られている方法は、規則的な生体インピーダンス走査、例えばチホノフ（Ｔｉｋｈｏｎｏｖ）正則化で基準信号生成器４を容易に検出するために用いられ得る。結果として、ユーザーの組織、例えば肺等の動きはユーザー自体の位置又は動きに基づき決定され得る。結果として、生体インピーダンス測定結果は上述の位置及び／又は動きデータに関しては解明され得る。分析装置８はまた、画像の再構成により３次元又は２次元の伝導度分布を決定する。更に、分析装置８は、位置検出及び／又は動き検出の結果に依存して生体インピーダンス値を修正及び／又は調整する。
【００３６】
分析手段８は、望ましくはコンピューター（示されない）を有する。コンピューターは、ソフトウェア・プログラムの形式のコンピューター命令を実行する。当該コンピューター命令は、コンピューター・プログラムがコンピューターで実行されると、生体インピーダンス測定結果を分析することによりユーザーの体２の位置及び／又は動きが決定されるように適応される。更に、コンピューター命令は、コンピューター・プログラムがコンピューターで実行されると、例えば動きアーティファクトの控除及び／又は較正により、位置検出及び／又は動き検出の結果に依存して生体インピーダンス値が修正及び／又は調整されるように適応される。
【００３７】
装置１の動作を制御することを目的として、分析装置８、検知装置６及び生成装置は、基準信号生成器４の電源投入及び切断を切り替える中央制御装置５と接続される。中央制御装置５は、望ましくはコンピューター（示されない）を有する。コンピューターはソフトウェア・プログラムの形式のコンピューター命令を実行する。当該コンピューター命令は、コンピューター・プログラムがコンピューターで実行されると、装置１の全ての動作機能が所定の方法で制御されるように適応される。
【００３８】
図５は、本発明による、ユーザーの体２の生体インピーダンスを誘導的に測定する方法の第１の実施例を示す。当該実施例では、ユーザーの体２の位置が決定される。この目的のため、最初の段階１１で、多数の基準信号生成器４はユーザーの体２に取り付けられる。次の段階１２で、基準信号生成器４は電源を投入される。そして段階１３で、基準信号生成器に対する第１のインピーダンス走査により位置検出が実行される。つまり検知装置６は基準信号生成器４により生成される交番磁界を測定する。段階１４で基準信号生成器４が電源を切られた後、段階１５でユーザーの体２に対し実際の生体インピーダンス走査が実行される。この目的のため、交番磁界は生成装置３によりユーザーの体２内に誘起される。そして生体インピーダンス測定値を得るために、検知装置６により二次磁界が測定される。最後に、段階１６で、分析装置８は、測定された位置信号に基づきユーザーの体２の位置を決定し、生体インピーダンス測定結果を修正及び／又は調整する。基準信号生成器４は、生体インピーダンス測定が開始される前に、その都度、連続して活性化される。従って、位置検出の結果は、走査の前に生体インピーダンス測定値を較正するために用いられ得、結果として生体インピーダンス信号の品質を向上する。
【００３９】
図６は、本発明による、ユーザーの体２の生体インピーダンスを誘導的に測定する方法の第２の実施例を示す。当該実施例では、ユーザーの体２の動きが決定される。再び、最初の段階２１で、多数の基準信号生成器４はユーザーの体２に取り付けられる。次の段階２２で、基準信号生成器４は電源を入れられる。次の段階２３で、生体インピーダンス測定が実行される。この目的のため、交番磁界は生成装置３によりユーザーの体２内に誘起される。そして生体インピーダンス測定値を得るために、結果として生じる二次磁界が検知装置６により測定される。生体インピーダンス測定が終了すると、段階２４で基準信号生成器４は電源を切られる。
【００４０】
測定期間の間、検知装置６は、ユーザーの体２内に誘起された磁界により引き起こされた結果として生じる二次磁界及び基準信号生成器４により引き起こされた交番磁界の両方を検知する。分析装置６は、測定された位置信号に基づきユーザーの体２の位置及び動きを決定する。結果として生じる３次元生体インピーダンス画像内の信号を区別するため、基準信号生成器４は、生成装置６がユーザーの体２内に磁界を誘起するために用いたのと別の周波数を用い交番磁界を生成する。再び、最終段階２５で、分析装置８は３次元生体インピーダンス画像を生成し、そして生体インピーダンス測定結果を修正及び／又は調整する。動き検出結果は、生体インピーダンス測定結果から動きアーティファクトを除去するために用いられる。
【００４１】
当業者には、本発明は以上に説明された例である実施例の詳細に限定されず、本発明の精神又は本質的特性から逸脱することなく他の特定の形式で実施されて良いでことが明らかであろう。本発明の実施例は従って、全ての態様で説明のためであり限定的ではないと考えられるべきである。本発明の範囲は、前述の記載ではなく特許請求の範囲により示される。また請求項と等価な意味及び範囲に包含される全ての変更は従って、当該請求項に含まれる。更に、語「有する」は他の要素又は段階を排除しないこと、単数を表す語は複数を排除しないこと、及びコンピューター・システム又は他の装置のような単一の要素は請求項に記載されたいくつかの手段の機能を満たし得ることが明らかである。請求項の参照符号は、請求項を制限すると見なされるべきではない。
【図面の簡単な説明】
【００４２】
【図１】本発明による、ユーザーの体の生体インピーダンスを誘導的に測定する装置の外観図である。
【図２】生体インピーダンス断層写真撮影装置を示す。
【図３】本発明による、ベッドの基部に組み込まれた励起及び測定コイルを有する装置の外観図である。
【図４】本発明による、患者の上にも励起及び測定コイルを有する装置の外観図である。
【図５】本発明の第１の実施例による方法のフローチャートである。
【図６】本発明の第２の実施例による方法のフローチャートである。
【符号の説明】
【００４３】
１  装置
２  ユーザーの体
３  生成装置
４  基準信号生成器
５  中央制御装置
６  検知装置
７  ユーザーのベッド
８  分析装置
９  励起コイル
１０  測定（ピックアップ）コイル
１１−２５  方法の段階
【図１】
2008546465.tif 000003
【図２】
2008546465.tif 000004
【図３】
2008546465.tif 000005
【図４】
2008546465.tif 000006
【図５】
2008546465.tif 000007
【図６】
2008546465.tif 000008
【国際調査報告】
2008546465.tif 000009
2008546465.tif 000010
2008546465.tif 000011